(57)【要約】      （修正有）【課題】書類を綴じると共に、より耐久性のある穴部分を形成することのできる紙綴じ具を提供する。【解決手段】円筒形状で一端に刃部を有する差込ピン５０と、差込ピンを保持し、差込ピンの軸方向の移動のガイドとなる押出しガイド２６を端部に有するピン保持部２０と、差込ピンをピン保持部から押出しガイドへと付勢するピン押しバネ２３と、押出しガイドに配置された差込ピンを軸方向に押し出すピン押出し部３０と、ピン押出し部に押された差込ピンを受け、差込ピンの一端を外側に変形させる変形台４０と、押出しガイド及び変形台との間の書類挿入部４５とを備える。差し込みピンが書類の穴に挿入固定されるので、書類に耐久性のある穴部分が形成でき、書類を穴あきファイルや綴じ紐で綴じて、日常的に閲覧したり、取り出して利用したとしても穴部分が破損することがない。【選択図】図１
0003211991.tif 000002
【実用新案登録請求の範囲】
【請求項１】
書類を綴じる紙綴じ具において、
円筒形状で一端に刃部を有する差込ピンと、
前記差込ピンを保持し、前記差込ピンの軸方向の移動のガイドとなる押出しガイドを端部に有するピン保持部と、
前記差込ピンを前記ピン保持部から前記押出しガイドへと付勢するピン押しバネと、
前記押出しガイドに配置された前記差込ピンを前記軸方向に押し出すピン押出し部と、
前記ピン押出し部に押された前記差込ピンを受け、前記差込ピンの前記一端を外側に変形させる変形台と、
前記押出しガイド及び前記変形台との間に設けられた書類挿入部とを備える
ことを特徴とする紙綴じ具。
【請求項２】
前記ピン押出し部は筒状であり、前記筒状の内部に、前記差込ピン内部の切り屑を付勢する切り屑押出し部を有する
ことを特徴とする請求項１記載の紙綴じ具。
【請求項３】
前記変形台の前記差込ピンを受ける側とは反対側に前記切り屑を溜める切り屑ケースを更に備える
ことを特徴とする請求項１または２記載の紙綴じ具。
【請求項４】
前記差込ピンの前記一端の前記刃部は、差込ピンの周方向に沿って軸方向に蛇行する形状である
ことを特徴とする請求項１、２または３記載の紙綴じ具。
【請求項５】
前記差込ピンの他端は、軸方向に延びる複数の切り込みを有している
ことを特徴とする請求項１、２、３または４記載の紙綴じ具。
【請求項６】
前記ピン押出し部が配置された押出し側挟み部と、
前記変形台が配置された変形台側挟み部と、
前記押出し側挟み部及び前記変形台側挟み部を接続すると共に、前記ピン押出し部及び前記変形台を接触させる位置まで近づけるヒンジとを更に備える
ことを特徴とする請求項１、２、３、４または５記載の紙綴じ具。
【請求項７】
前記押出し側挟み部と前記ピン保持部とを互いに付勢する押出し側バネ部を更に備える
ことを特徴とする請求項１、２、３、４、５または６記載の紙綴じ具。
【請求項８】
前記変形台側挟み部と前記ピン保持部とを互いに付勢する変形台側バネ部を更に備える
ことを特徴とする請求項１、２、３、４、５、６または７記載の紙綴じ具。
【請求項９】
前記押出し側挟み部における、前記ピン押出し部とヒンジを介した反対側、及び
前記変形台側挟み部における、前記変形台とヒンジを介した反対側には、一組の把持部を有し、
前記一組の把持部を互いに近づけることにより、前記ピン押出し部及び前記変形台を接触させる位置まで移動させる、
ことを特徴とする請求項１、２、３、４、５、６、７または８記載の紙綴じ具。
【考案の詳細な説明】
【技術分野】
【０００１】
本考案は、書類等を綴じる際に用いられる紙綴じ具に関するものである。
【背景技術】
【０００２】
従来からオフィスや家庭等において、書類を綴じる際には、ステープラ、穴あきファイルや綴じ紐等が用いられている。ステープラは小さな部材で簡単で確実に書類を綴じることができることから、多くのオフィスや家庭で利用されている。
【０００３】
このようなステープラ以外の綴じ具として、非金属製材料で構成された円筒状の消耗品を保持するカートリッジと、用紙に孔部を設ける穿孔部材と、用紙の孔部に円筒状の消耗品を挿入する穿孔部材および紙受台、肉厚部、規制部から成る挿入機構と、円筒状の消耗品の端部を変形させる変形台とを設け、穿孔部材によって設けられた孔部に消耗品を挿入し、挿入された消耗品を変形台によって変形させて用紙を綴じるように構成したものが知られている（例えば、特許文献１参照）。
【先行技術文献】
【特許文献】
【０００４】
【特許文献１】特開２００２−１８７３９３号公報
【考案の概要】
【考案が解決しようとする課題】
【０００５】
一方、書類を長期間保存しつつ利用する場合には、穴あきファイルや綴じ紐が用いられることが多い。穴あきファイルや綴じ紐は耐久性のある表紙を用いることにより、書類を長期間破損させることなく保存することができる。しかしながら、保存期間中に何度も閲覧する書類である場合には、書類に開けた穴部分が次第に広がってしまい、書類を破損させてしまう恐れがあった。
【０００６】
また、保存された書類が、穴あきファイルや綴じ紐から取り出して利用される書類である場合には、利用する書類に加えて利用しない書類もファイルや綴じ紐から取り出すことから、この場合にも綴じられた書類の穴部分が広がってしまい、書類が破損してしまう恐れがあった。
【０００７】
本考案は前記問題点に鑑みてなされたものであり、その目的とするところは、書類を綴じると共に、より耐久性のある穴部分を形成することのできる紙綴じ具を提供することにある。
【課題を解決するための手段】
【０００８】
本考案は前記目的を達成するために、円筒形状で一端に刃部を有する差込ピンと、前記差込ピンを保持し、前記差込ピンの軸方向の移動のガイドとなる押出しガイドを端部に有するピン保持部と、前記差込ピンを前記ピン保持部の前記押出しガイド側に付勢するピン押しバネと、前記押出しガイドに配置された前記差込ピンを前記軸方向に押し出すピン押出し部と、前記ピン押出し部に押された前記差込ピンを受け、前記差込ピンの前記一端を外側に変形させる変形台と、前記押出しガイド及び前記変形台との間に設けられた書類挿入部とを備えるように構成している。
【０００９】
これにより、書類挿入部に綴じようとする書類を挿入し、ピン押出し部によって押出しガイド内の差込ピンを押し出すと、差込ピンが書類に差し込まれるとともに、差込ピンの一端が変形台で変形し、差込ピンによって書類が綴じられると共に、より耐久性のある穴部分が差込ピンによって形成される。
【考案の効果】
【００１０】
本考案によれば、書類を綴じると共に、耐久性のある穴部分を形成することができるので、この穴部分が形成された各書類の束を穴あきファイルや綴じ紐で綴じつつ、日常的に閲覧したり、取り出して利用したとしても穴部分が破損することなく、より長期間利用することができる。
【図面の簡単な説明】
【００１１】
【図１】本考案の一実施形態に係る紙綴じ具の構成を示す側面図
【図２】ピン保持部の上面図
【図３】差込ピンの斜視図
【図４】紙綴じ具により変形した差込ピンの一例について示す斜視図
【図５】変形例１に係る差込ピンの斜視図
【図６】変形例２に係る差込ピンの斜視図
【図７】紙綴じ具に書類が挟まれた状態を示す側面図
【図８】書類に差込ピンが差し込まれた状態を示す側面図
【図９】紙綴じ具により閉じられた書類に綴じ紐を通す例について示す斜視図
【図１０】本考案の実施形態に係る紙綴じ具の適用例１を示す側面図
【図１１】本考案の実施形態に係る紙綴じ具の適用例２を示す側面図
【考案を実施するための形態】
【００１２】
図１乃至図８は本考案の実施形態を示すもので、例えば書類９５を綴じるために用いられる紙綴じ具１０を示すものである。
【００１３】
本実施形態の紙綴じ具１０は、円筒形状で一端に刃部５３を有する差込ピン５０と、差込ピン５０を保持し、差込ピン５０の軸方向の移動のガイドとなる押出しガイド２６を端部に有するピン保持部２０と、差込ピン５０をピン保持部２０の押出しガイド２６側に付勢するピン押しバネ２３と、押出しガイド２６に配置された差込ピン５０を軸方向に押し出すピン押出し部３０と、ピン押出し部３０に押された差込ピン５０を受け、差込ピン５０の一端を外側に変形させる変形台４０と、押出しガイド２６及び変形台４０との間に設けられた書類挿入部４５と、を有している。
【００１４】
本実施形態においては、ピン押出し部３０は押出し側挟み部７０に配置され、変形台４０は変形台側挟み部８０に配置されている。ピン保持部２０は、複数の差込ピン５０を保持することができる。押出しガイド２６には、差込ピン５０の軸方向に差込ピン５０を移動させてピン保持部２０から放出させる貫通孔２７が開いている。押出しガイド２６に配置された差込ピン５０は、ピン押出し部３０により接触して押し出されて、書類９５に差し込まれる。ピン押出し部３０が押出しガイド２６から引き抜かれると、ピン押しバネ２３により付勢された次の差込ピン５０が押出しガイド２６に移動する。
【００１５】
ピン押出し部３０は筒状であり、筒の内部に、差込ピン５０が書類９５に差し込まれた際に差込ピン５０内部に溜まる切り屑を付勢する切り屑押出し部３４を有している。切り屑押出し部３４は、押出し棒３６とバネ３５とにより構成される。差込ピン５０が書類９５に差し込まれるとき、バネ３５により付勢された押出し棒３６が、差込ピン５０内部で書類９５に接し、バネ３５は縮まり、押出し棒３６全体はピン押出し部３０の筒状部分に入る。その後、差込ピン５０が差し込まれた書類９５が持ちあげられた際に、差込ピン５０内に溜まった切り屑は、バネ３５により付勢された押出し棒３６により押し出され、切り屑ケース４２に落とされる。したがって、より容易に差込ピン５０内部に溜まった切り屑を排除することができる。本実施形態においては、切り屑押出し部３４は押出し棒３６とバネ３５とにより構成されることとしたが、これら以外の構成であってもよい。また、切り屑押出し部３４を有さない構成、例えば穴の開いていないピン押出し部３０等を用いてもよい。また、本実施形態では、変形台４０の差込ピン５０を受ける側とは反対側には、切り屑を溜める切り屑ケース４２を有していることとしたが、切り屑ケース４２は有していなくてもよい。また切り屑ケース４２は、金属、樹脂、繊維その他の素材で形成されることができる。
【００１６】
差込ピン５０の一端には刃部５３が形成され、書類９５に差し込み易いように、例えば図３のように差込ピン５０の周方向に沿って軸方向に蛇行する形状等、軸方向に沿って端部の位置が変化するような形状とすることができる。このような蛇行する形状は、書類９５に差し込み易いだけでなく、変形台４０に押し当てられ変形した際にも、図４に示されるように、容易に書類９５に係合させる止め部を形成することができる。本実施形態においては、刃部５３は差込ピン５０の一端の周囲に沿って蛇行する形状としたが、刃部５３の端部は揃った円形状であってもよい。
【００１７】
差込ピン５０の他端は、他端から軸方向に延びる複数の切り込み５１の間に形成された複数の変形部５２を有していてもよい。差込ピン５０の他端は、ピン押出し部３０に接触し、押出しガイド２６から押し出される力を受ける。複数の変形部５２は、差込ピン５０の他端が、差込ピン５０が書類９５に差し込まれた状態から、更にピン押出し部３０により押されることにより、それぞれ外側に折れ曲がり、書類９５を係合する部分とすることができる。これにより書類９５は、止め部を形成する刃部５３と、折り曲げられた変形部５２との間で綴じられる。
【００１８】
また、差込ピン５０の変形例１である差込ピン５０ａに示されるように、差込ピン５０の刃部５３には更に切り込み５４が形成されていてもよい。この場合には更に容易に変形させることができ、多方向に延びる止め部を形成することができる。また差込ピン５０の変形部５２は、差込ピン５０の変形例１である差込ピン５０ｂに示されるように、円筒形状の中心に向かって折り曲げられ、円筒に蓋をするような形状であってもよい。この場合には、中央に押出し棒３６が入る穴を設けることにより、押出し棒３６により、ピン押出し部３０が差込ピン５０を押す際のガイドの役割を兼ねることができる。差込ピン５０は、書類９５に差し込めるものであれば金属、樹脂その他の材料を用いることができる。
【００１９】
紙綴じ具１０を使用する際には、図７及び図８に順次示されるように、まず書類挿入部４５に綴じようとする書類９５を挟み、押出し側挟み部７０と変形台側挟み部８０とを互いに近づけることにより、ピン押出し部３０と、押出しガイド２６内の差込ピン５０に接触させる。次に、押出し側挟み部７０と変形台側挟み部８０とを更に近づけることにより、差込ピン５０を書類９５に差し込む。差込ピン５０を書類９５に差し込んだ後、押出し側挟み部７０と変形台側挟み部８０とを更に近づけ、差込ピン５０の一端の刃部５３を変形台４０で変形させ、差込ピン５０の他端の変形部５２を、ピン押出し部３０により変形させることにより、書類９５を挟んで綴じる。
【００２０】
以上のように構成された紙綴じ具１０を用いて、差込ピン５０により綴じられた書類９５は、図９に示されるように、各書類の束がばらばらになることがないため、容易に穴あきファイルや綴じ紐９６で綴じることができる。また書類９５に開けられた穴部分は、差込ピン５０に覆われているため、書類９５を開いたり、穴あきファイルや綴じ紐９６から取り出したり再度綴じたりしても、穴が広がることを抑えることができる。このため閲覧の頻度が多い書類９５であっても、より長期間書類９５を保管することができる。また、穴あきファイルや綴じ紐９６から書類９５を取り出した場合にも、書類９５がばらばらにならないため、別の手段で纏める必要がなく、利用した後もそのまま穴あきファイルや綴じ紐９６に綴じることができる。
【００２１】
このように、本実施形態の紙綴じ具１０によれば、書類９５を綴じると共に、書類９５に、より耐久性のある穴部分を形成することができる。
【００２２】
図１０及び図１１には、それぞれ綴じ具１０の適用例１である綴じ具１０ａ及び適用例２である綴じ具１０ｂが示されている。
【００２３】
綴じ具１０ａ及び綴じ具１０ｂに示されるように紙綴じ具１０は、押出し側挟み部７０とピン保持部２０とを互いに付勢する押出し側バネ部７２を更に有していてもよい。これにより書類９５を綴じた後、ピン保持部２０と押出し側挟み部７０とをより容易に離間させることができる。また、紙綴じ具１０は、変形台側挟み部８０とピン保持部２０とを互いに付勢する変形台側バネ部８２を更に有していてもよい。これにより書類９５を綴じた後、ピン保持部２０と変形台側挟み部８０とをより容易に離間させることができる。ここで押出し側バネ部７２及び変形台側バネ部８２は、いずれかのみが配置されていてもよいし、いずれも配置されていなくてもよい。
【００２４】
また、綴じ具１０ａ及び綴じ具１０ｂに示されるように紙綴じ具１０は、更に、押出し側挟み部７０及び変形台側挟み部８０を接続すると共に、ピン押出し部３０及び変形台４０を接触させる位置まで近づけるヒンジ９１を有していてもよい。このような構成とすることにより、紙綴じ具１０は、ヒンジ９１における回動により、書類９５を綴じる動作を行わせることができる。
【００２５】
また、綴じ具１０ａに示されるように、紙綴じ具１０は、押出し側挟み部７０における、ピン押出し部３０とヒンジ９１を介した反対側、及び変形台側挟み部８０における、変形台４０とヒンジ９１を介した反対側に、一組の把持部９２を有していてもよい。これにより、利用者は一組の把持部９２を互いに近づける操作を行うことができ、ピン押出し部３０及び変形台４０を接触させる位置まで移動させることができる。
【００２６】
また、綴じ具１０ｂに示されるように、紙綴じ具１０は、押出し側挟み部７０及び変形台側挟み部８０は、複数のヒンジ９１を使用したジャッキ構造９３により接続されていてもよい。これにより、利用者は押出し側挟み部７０を押さえる操作を行うことにより、ピン押出し部３０及び変形台４０を接触させる位置まで移動させることができる。
【００２７】
以上のように綴じ具１０ａ又は綴じ具１０ｂに示される紙綴じ具１０を用いて綴じられた書類９５においても、各書類の束がばらばらになることがないため、容易に穴あきファイルや綴じ紐９６で綴じることができ、また穴部分は、差込ピン５０に覆われているため、閲覧により穴が広がることを抑えることができる。このように、本実施形態の紙綴じ具１０によれば、書類９５を綴じると共に、書類９５に、より耐久性のある穴部分を形成することができる。
【符号の説明】
【００２８】
１０…紙綴じ具、２０…ピン保持部、２３…ピン押しバネ、２６…押出しガイド、２７…貫通孔、３０…ピン押出し部、３４…切り屑押出し部、３５…バネ、３６…押出し棒、４０…変形台、４２…切り屑ケース、４５…書類挿入部、５０…差込ピン、５２…変形部、５３…刃部、７０…押出し側挟み部、７２…押出し側バネ部、８０…変形台側挟み部、８２…変形台側バネ部、９１…ヒンジ、９２…把持部、９３…ジャッキ構造、９５…書類、９６…綴じ紐。
【図１】
0003211991.tif 000003
【図２】
0003211991.tif 000004
【図３】
0003211991.tif 000005
【図４】
0003211991.tif 000006
【図５】
0003211991.tif 000007
【図６】
0003211991.tif 000008
【図７】
0003211991.tif 000009
【図８】
0003211991.tif 000010
【図９】
0003211991.tif 000011
【図１０】
0003211991.tif 000012
【図１１】
0003211991.tif 000013
【手続補正書】
【提出日】平成29年6月15日(2017.6.15)
【手続補正１】
【補正対象書類名】実用新案登録請求の範囲
【補正対象項目名】全文
【補正方法】変更
【補正の内容】
【実用新案登録請求の範囲】
【請求項１】
書類を綴じる紙綴じ具において、
円筒形状で一端に刃部を有する差込ピンと、
前記差込ピンを保持し、前記差込ピンの軸方向の移動のガイドとなる押出しガイドを端部に有するピン保持部と、
前記差込ピンを前記ピン保持部から前記押出しガイドへと付勢するピン押しバネと、
前記押出しガイドに配置された前記差込ピンを前記軸方向に押し出すピン押出し部と、
前記ピン押出し部に押された前記差込ピンを受け、前記差込ピンの前記一端を外側に変形させる変形台と、
前記押出しガイド及び前記変形台との間に設けられた書類挿入部とを備える
ことを特徴とする紙綴じ具。
【請求項２】
前記ピン押出し部は筒状であり、前記筒状の内部に、前記差込ピン内部の切り屑を付勢する切り屑押出し部を有する
ことを特徴とする請求項１記載の紙綴じ具。
【請求項３】
前記変形台の前記差込ピンを受ける側とは反対側に前記切り屑を溜める切り屑ケースを更に備える
ことを特徴とする請求項２記載の紙綴じ具。
【請求項４】
前記差込ピンの前記一端の前記刃部は、差込ピンの周方向に沿って軸方向に蛇行する形状である
ことを特徴とする請求項１、２または３記載の紙綴じ具。
【請求項５】
前記差込ピンの他端は、軸方向に延びる複数の切り込みを有している
ことを特徴とする請求項１、２、３または４記載の紙綴じ具。
【請求項６】
前記ピン押出し部が配置された押出し側挟み部と、
前記変形台が配置された変形台側挟み部と、
前記押出し側挟み部及び前記変形台側挟み部を接続すると共に、前記ピン押出し部及び前記変形台を接触させる位置まで近づけるヒンジとを更に備える
ことを特徴とする請求項１、２、３、４または５記載の紙綴じ具。
【請求項７】
前記押出し側挟み部と前記ピン保持部とを互いに付勢する押出し側バネ部を更に備える
ことを特徴とする請求項６記載の紙綴じ具。
【請求項８】
前記変形台側挟み部と前記ピン保持部とを互いに付勢する変形台側バネ部を更に備える
ことを特徴とする請求項６または７記載の紙綴じ具。
【請求項９】
前記押出し側挟み部における、前記ピン押出し部とヒンジを介した反対側、及び
前記変形台側挟み部における、前記変形台とヒンジを介した反対側には、一組の把持部を有し、
前記一組の把持部を互いに近づけることにより、前記ピン押出し部及び前記変形台を接触させる位置まで移動させる、
ことを特徴とする請求項６、７または８記載の紙綴じ具。